(57)【要約】【課題】レジ係が手前側の単位レジ袋を引張った際に、当該単位レジ袋を常に開口状態で引出せるようにする。【解決手段】単位レジ袋２を、両側縁に折り込み部３ａを有する袋本体３と、この袋本体の上端両側部に設けられた把手部４と、袋本体３の上端開口部中央に設けられた結束片部５とで構成する。両把手部４に、支持アーム挿通孔６を設けるとともに、結束片部５に、袋開口用アーム挿通孔７および断続切れ目８を設ける。単位レジ袋２の外面に、概略逆Ｔ字状をなす微粘着性粘着部９を設ける。単位レジ袋２を多数枚重ね合わせてレジ袋１を構成すると、隣位する単位レジ袋２の開口端縁間が、微粘着性粘着部９を介して接着された状態となる。このため、手前側の単位レジ袋２を引張った際に、当該単位レジ袋２を常に開口状態で引出すことができる。【選択図】図１
2006082841.tif 000002
【特許請求の範囲】
【請求項１】
折り畳んだ状態のプラスチック製の単位レジ袋を、多数枚重ね合わせて構成されるレジ袋において、前記各単位レジ袋の内面間または隣位する単位レジ袋の外面間のうちの少なくともいずれか一方に、各単位レジ袋の内面間の密着力よりも隣位する単位レジ袋の外面間の密着力の方が大きくなるような密着力変更手段を設けたことを特徴とするレジ袋。
【請求項２】
密着力変更手段は、各単位レジ袋の内面に設けられた粗面加工部で形成されていることを特徴とする請求項１記載のレジ袋。
【請求項３】
密着変更手段は、各単位レジ袋の外面に設けられた微粘着性粘着部で形成されていることを特徴とする請求項１または２記載のレジ袋。
【請求項４】
微粘着性粘着部は、各単位レジ袋の開口縁近傍位置に設けられていることを特徴とする請求項３記載のレジ袋。
【発明の詳細な説明】
【技術分野】
【０００１】
本発明は、折り畳んだ状態の単位レジ袋を多数枚重ね合わせて構成されるレジ袋に係り、特にレジ袋引出装置にセットされて使用されるレジ袋に関する。
【背景技術】
【０００２】
従来から、折り畳んだ状態の単位レジ袋を多数枚重ね合わせて構成されるレジ袋の両把手部を支持アームで支持し、レジ係が手前側の単位レジ袋を引張ることにより、当該単位レジ袋を開口状態で引出せるようにしたレジ袋引出装置は一般に知られている。
【特許文献１】特開２００１−１０６２４１公報
【特許文献２】特開平１０−１８１７２７号公報
【発明の開示】
【発明が解決しようとする課題】
【０００３】
前記従来のレジ袋引出装置においては、理論的には、手前側の単位レジ袋を引張ることにより、当該単位レジ袋を開口状態で引出せることになるが、実際には、手前側の単位レジ袋が閉口状態のままで引出されてしまうことが多く、この場合には、レジ係が人力で当該単位レジ袋を開口状態にしなければならず、レジ係に大きな負担となっていると云う問題がある。
【０００４】
ところで、各単位レジ袋の内面間の密着力と、隣位する単位レジ袋の外面間の密着力とを考えた場合、前記内面間へは、単位レジ袋の上端開口部からしか外気が流入しないのに対し、前記外面間へは、周囲のあらゆる方向から外気が流入することになるので、両者の密着力が同一の場合には、手前側の単位レジ袋を引張った際に、当該単位レジ袋が開くよりは、隣位する単位レジ袋が離れる方が容易であるということになる。
【０００５】
したがって、手前に引張った単位レジ袋が、確実に開口状態で引出されるようにするためには、単位レジ袋の内面間の密着力よりも、隣位する単位レジ袋の外面間の密着力の方が、大きくなるような方策を予め施して置けばよいものと予想される。
【０００６】
本発明は、かかる知見に基づいてなされたもので、手前側の単位レジ袋を引張った際に、当該単位レジ袋を開口状態で確実に引出すことができるレジ袋を提供することを目的とする。
【０００７】
本発明の他の目的は、素材の段階で密着力変更手段を設けることができ、単位レジ袋製造装置側に手を加える必要がないレジ袋を提供するにある。
【０００８】
本発明の他の目的は、従来からの素材をそのまま用いて密着力変更手段を設けることができるレジ袋を提供するにある。
【０００９】
本発明のさらに他の目的は、微粘着性粘着部の大きさを必要最小限の大きさに限定して、コストアップを抑制することができるレジ袋を提供するにある。
【課題を解決するための手段】
【００１０】
前記目的を達成するため本発明は、折り畳んだ状態のプラスチック製の単位レジ袋を、多数枚重ね合わせて構成されるレジ袋において、前記各単位レジ袋の内面間または隣位する単位レジ袋の外面間のうちの少なくともいずれか一方に、各単位レジ袋の内面間の密着力よりも隣位する単位レジ袋の外面間の密着力の方が大きくなるような密着力変更手段を設けるようにしたことを特徴とする。
【００１１】
本発明はまた、密着力変更手段を、各単位レジ袋の内面に設けられた粗面加工部で形成するようにしたことを特徴とする。
【００１２】
本発明はまた、密着変更手段を、各単位レジ袋の外面に設けられた微粘着性粘着部で形成するようにしたことを特徴とする。
【００１３】
本発明はまた、微粘着性粘着部を、各単位レジ袋の開口縁近傍位置に設けるようにしたことを特徴とする。
【発明の効果】
【００１４】
本発明は、折り畳んだ状態のプラスチック製の単位レジ袋を、多数枚重ね合わせて構成されるレジ袋において、前記各単位レジ袋の内面間または隣位する単位レジ袋の外面間のうちの少なくともいずれか一方に、各単位レジ袋の内面間の密着力よりも隣位する単位レジ袋の外面間の密着力の方が大きくなるような密着力変更手段を設けるようにしているので、レジ係が手前側の単位レジ袋を引張った際に、隣位する単位レジ袋の間が離れるよりは、当該単位レジ袋の開口端が開く方が、より簡単となる状態が形成されることになる。このため、手前側のレジ袋を開口状態で確実に引出すことができる。
【００１５】
本発明はまた、密着力変更手段を、各単位レジ袋の内面に設けられた粗面加工部で形成するようにしているので、単位レジ袋の素材としてのプラスチック製筒材を製造する段階で、密着力変更手段を設けることができる。このため、既存の単位レジ袋製造装置をそのまま用いて、本発明に係るレジ袋を製造することができる。
【００１６】
本発明はまた、密着力変更手段を、各単位レジ袋の外面に設けられた微粘着性粘着部で形成するようにしているので、従来からの素材をそのまま用いて密着力変更手段を設けることができる。
【００１７】
本発明はさらに、微粘着性粘着部を、各単位レジ袋の開口縁近傍位置に設けるようにしているので、微粘着製粘着部の大きさを必要最小限の大きさに限定することができ、微粘着性粘着部を設けることに伴なうコストアップを可能な限り抑制することができる。
【発明を実施するための最良の形態】
【００１８】
以下、本発明を図面を参照して説明する。
図１および図２は、本発明の第１の実施の形態に係るレジ袋を示すもので、このレジ袋１は、折り畳んだ状態のプラスチック製の単位レジ袋２を、多数枚重ね合わせて構成されている。
【００１９】
前記各単位レジ袋２は、図１に示すように、両側端に折り込み部３ａを有するプラスチックフィルム製の袋本体３を備えており、この袋本体３の上端開口部には、その両側端部に把手部４がそれぞれ設けられているとともに、中央部に結束片部５が設けられている。そして、前記各把手部４には、図示しない支持アームを貫通させるための支持アーム挿通孔６が設けられているとともに、前記結束片部５には、図示しない袋開口用アームを貫通させるための袋開口用アーム挿通孔７が設けられ、この袋開口用アーム挿通孔７の直下位置には、断続切れ目８が設けられている。
【００２０】
また、前記各単位レジ袋２の外面には、図１および図２に示すように、前記結束片部５から袋本体３の上端開口縁に亘る領域に、概略逆Ｔ字状をなす微粘着性粘着部９が設けられており、隣位する単位レジ袋２は、この微粘着性粘着部９を介して、開口端縁中央部が接着されるようになっている。そしてこれにより、各単位レジ袋２の内面間の密着力よりは、隣位する単位レジ袋２の外面間の密着力の方を、常に大きな値とすることができるようになっている。すなわち、本実施の形態においては、前記微粘着性粘着部９が密着力変更手段を構成するようになっている。
【００２１】
前記微粘着性粘着部９は、微粘着性粘着剤を単位レジ袋２の外面に塗布することにより形成されるが、この微粘着性粘着剤としては、例えばスチレンゴム系の粘着剤とレジンとを配合した養生シート用粘着剤を用いることができる。
【００２２】
すなわち、時計のガラス面，ＯＡ機器の表面，あるいはカラー鋼板の表面等には、輸送時に傷が付くのを防止するため、透明な養生シートを貼付しておき、使用者が使用する際に撤去する方法が採られている。そして、この種の養生シートには、微粘着性を有する養生シート用粘着剤が用いられているが、前記微粘着性粘着部９も、この種の養生シート用粘着剤を用いて形成されている。
【００２３】
しかして、本実施の形態においては、各単位レジ袋２の外面に、微粘着性粘着部９を設け、重ね合わされた単位レジ袋２の外面間が、この微粘着性粘着部９を介して接着するようにしているので、各単位レジ袋２の内面間の密着力と、隣位する単位レジ袋２の外面間の密着力とを比較した場合に、隣位する単位レジ袋２の外面間の密着力の方を、常に大きな値にすることができる。このため、レジ係が手前側の単位レジ袋を引張った際に、当該単位レジ袋を常に開口状態で引出すことができる。
【００２４】
また、微粘着性粘着部９は、各単位レジ袋２の外面全域に設けられているわけではなく、結束片部５から袋本体３の上端開口縁に亘る領域に限定的に設けられているので、微粘着性粘着剤の使用量を必要最少限に抑えることができ、微粘着性粘着部９を設けることに伴なうコストアップを、可能な限り抑制することができる。
【００２５】
また、微粘着性粘着部９は、前述のように養生シート用粘着剤を用いて形成され、この種の粘着剤は、人が手を触れても粘着性を殆ど感じない程度の粘性であるので、使用に際して、微粘着性粘着部９が問題となることは全くない。
【００２６】
図３および図４は、本発明の第２の実施の形態を示すもので、前記第１の実施の形態における微粘着性粘着部９に代え、袋本体３の内面全域に形成された粗面加工部１９を用いるようにしたものである。
【００２７】
すなわち、単位レジ袋２は、筒状に引出加工された素材を用いて製造されているが、素材を筒状に引出加工する際に、その内面に粗面加工体を接触させることにより、袋本体３の内面全域に粗面加工部１９を形成することができるようになっている。
なお、その他の点については、前記第１の実施の形態と同一構成となっており、作用も同一である。
【００２８】
しかして、袋本体３の内面全域に粗面加工部１９を形成するようにしているので、各単位レジ袋２の内面間の密着力と、隣位する単位レジ袋２の外面間の密着力とを比較した場合に、隣位する単位レジ袋２の外面間の密着力の方を、常に大きな値にすることができる。このため、前記第１の実施の形態と同様の効果を得ることができる。
【００２９】
なお、前記各実施の形態においては、微粘着性粘着部９あるいは粗面加工部１９を用いて、密着力変更手段を構成する場合について説明したが、例えば粉状の密着力低減剤を袋本体３内面に散布して密着力変更手段としてもよい。
【産業上の利用可能性】
【００３０】
以上のように、本発明に係るレジ袋は、レジ袋引出装置にセットされて使用されるレジ袋として有用であり、特に手前側の単位レジ袋を引張った際に、当該レジ袋を開口状態で引出すことができるレジ袋として適している。
【図面の簡単な説明】
【００３１】
【図１】本発明の第１の実施の形態に係るレジ袋を示す説明図である。
【図２】図１を上方から見た構成図である。
【図３】本発明の第２の実施の形態を示す図１相当図である。
【図４】図３のＩＶ−ＩＶ線断面図である。
【符号の説明】
【００３２】
１  レジ袋
２  単位レジ袋
３  袋本体
３ａ  折り込み部
４  把手部
５  結束片部
６  支持アーム挿通孔
７  袋開口用アーム挿通孔
８  断続切れ目
９  微粘着性粘着部
１９  粗面加工部
【図１】
2006082841.tif 000003
【図２】
2006082841.tif 000004
【図３】
2006082841.tif 000005
【図４】
2006082841.tif 000006